(57)【要約】本発明は、被験者がアドレスしたパタークラブのフェース面の向きを計測するパターアドレス診断装置を提案するものであって、その手段は以下のとおりである。  光ビームＬを出射する計測用の光源２と、ビームスポットＢＳが形成される表示板３とを有し、表示板３には座標軸が形成され、被験者が、フェース面に反射板の取り付けられたパタークラブをアドレスした状態で、計測用の光源２から出射し、上記反射板にて反射した光ビームＬを表示板３に照射して該表示板３上にビームスポットＢＳを形成し、そのビームスポットＢＳの座標位置からパタークラブのフェース面の向きを計測する。【特許請求の範囲】
【請求項１】
光ビームを出射する計測用の光源と、座標軸が形成された表示板とを有し、被験者が、フェース面に反射板の取り付けられたパタークラブをアドレスした状態で、前記計測用の光源から出射し前記反射板にて反射した光ビームを前記表示板に照射して該表示板上にビームスポットを形成し、該ビームスポットの座標位置から前記パタークラブのフェース面の向きを計測することを特徴とするパターアドレス診断装置。
【請求項２】
前記表示板には、パッティング目標となる貫通孔が形成され、前記計測用の光源から出射した光ビームが、前記貫通孔を通過して、アドレスしたパタークラブのフェース面に取り付けられた反射板に至るように、前記貫通孔と計測用の光源との相対位置が設定されている請求項１に記載のパターアドレス診断装置。
【請求項３】
被験者を向いた側の表示板の面を正面とし、その反対側の面を背面としたとき、該表示板の背面側に配置された照明用の光源を具備し、該照明用の光源を点灯したときにだけ、被験者が表示板の座標軸を目視できるように構成されている請求項１に記載のパターアドレス診断装置。
【請求項４】
前記表示板の正面側に配置された覆い板を具備し、該覆い板は、前記照明用の光源の非点灯時には、被験者が前記表示板の座標軸を目視できないように、該表示板を遮蔽し、かつ照明用の光源の点灯時には、被験者が、該覆い板を透かして前記表示板の座標軸を目視できるように構成されている請求項３に記載のパターアドレス診断装置。
【請求項５】
前記表示板と覆い板にはそれぞれ貫通孔が形成され、前記計測用の光源から出射した光ビームが、前記貫通孔を通過して、アドレスしたパタークラブのフェース面に取り付けられた反射板に至るように、前記貫通孔と計測用の光源との相対位置が設定されている請求項４に記載のパターアドレス診断装置。
【請求項６】
パタークラブによりパッティングされたボールが前記貫通孔を通過した後、再び該貫通孔を通過して被験者の側に戻るように、上面が傾斜したボール案内板が設けられている請求項２又は５に記載のパターアドレス診断装置。
【請求項７】
前記計測用の光源から出射した光ビームの透過を許容し、かつパタークラブによりパッティングされて前記貫通孔を通過したボールが前記計測用の光源に当ることを阻止するプロテクターが設けられている請求項２又は６に記載のパターアドレス診断装置。
【請求項８】
前記ボール案内板が、パタークラブによりパッティングされて、前記貫通孔を通過したボールが前記計測用の光源に当ることを阻止するプロテクターを兼ねている請求項６に記載のパターアドレス診断装置。
【請求項９】
前記計測用の光源と表示板とが一体的に連結されている請求項１乃至５のいずれかに記載のパターアドレス診断装置。
【請求項１０】
被験者が水平なグラウンド面上にてパタークラブをアドレスしたときのパタークラブのフェース面とグラウンド面との成す角度が９０°であるとしたとき、前記反射板の反射面と、該反射面よりも表示板側のグラウンド面との成す角度が９０°よりも大きな角度となるように、反射板がフェース面に取り付けられている請求項１乃至５のいずれかに記載のパターアドレス診断装置。
【請求項１１】
前記表示板と計測用の光源とを載置するマットを有し、被験者が該マット上にてパタークラブを構えてフェース面の向きを計測するように構成され、前記マットの側縁の少なくとも一部が曲線をなして延びている請求項１乃至５のいずれかに記載のパターアドレス診断装置。
【請求項１２】
前記計測用の光源の位置を調整する光源位置調整手段を具備する請求項１乃至５のいずれかに記載のパターアドレス診断装置。
【発明の詳細な説明】
【技術分野】
【０００１】  本発明は、被験者がパタークラブをアドレスしたとき、そのパタークラブのフェース面が適切な方向を向いているか否かを確認し、フェース面の向きが不適切であるときは、その程度を把握することのできるパターアドレス診断装置に関するものである。
【背景技術】
【０００２】  上記形式のパターアドレス診断装置は従来より公知である（特許文献１参照）。従来提案されているこの種の装置によってパターアドレスを診断するには、先ず光源から出射した光線を反射鏡にて反射させ、その反射した光線を透光板に照射してここに基準光点を形成する。次いで、被験者がパタークラブをアドレスし、光源から出射した光線をパタークラブのフェース面にて反射させ、その反射した光線を透光板に当て、ここに反射光点を形成する。このとき、この反射光点の位置と、前述の基準光点の位置を比較して、フェース面の向きが適切であるか否かを確認する。【０００３】  上述のように、従来のパターアドレス診断装置によってもフェース面の向きが適切であるか否かを確認してパターアドレスを診断することができるが、従来の装置は、透光板に形成された基準光点と反射光点を単に比較してフェース面の向きを判断するように構成されていたため、これらの光点の距離を即座に正しく把握することは困難であった。
【特許文献１】日本国特開平１１−４２３１０号公報
【発明の開示】
【発明が解決しようとする課題】
【０００４】  本発明の目的は、パタークラブのフェース面の向きを従来よりも容易かつ正確に計測することのできるパターアドレス診断装置を提供することにある。
【課題を解決するための手段】
【０００５】  本発明は、上記目的を達成するため、光ビームを出射する計測用の光源と、座標軸が形成された表示板とを有し、被験者が、フェース面に反射板の取り付けられたパタークラブをアドレスした状態で、前記計測用の光源から出射し前記反射板にて反射した光ビームを前記表示板に照射して該表示板上にビームスポットを形成し、該ビームスポットの座標位置から前記パタークラブのフェース面の向きを計測することを特徴とするパターアドレス診断装置を提案する（請求項１）。【０００６】  また、上記請求項１に記載のパターアドレス診断装置において、前記表示板には、パッティング目標となる貫通孔が形成され、前記計測用の光源から出射した光ビームが、前記貫通孔を通過して、アドレスしたパタークラブのフェース面に取り付けられた反射板に至るように、前記貫通孔と計測用の光源との相対位置が設定されていると有利である（請求項２）。【０００７】  さらに、上記請求項１に記載のパターアドレス診断装置において、被験者を向いた側の表示板の面を正面とし、その反対側の面を背面としたとき、該表示板の背面側に配置された照明用の光源を具備し、該照明用の光源を点灯したときにだけ、被験者が表示板の座標軸を目視できるように構成されていると有利である（請求項３）。【０００８】  また、上記請求項３に記載のパターアドレス診断装置において、前記表示板の正面側に配置された覆い板を具備し、該覆い板は、前記照明用の光源の非点灯時には、被験者が前記表示板の座標軸を目視できないように、該表示板を遮蔽し、かつ照明用の光源の点灯時には、被験者が、該覆い板を透かして前記表示板の座標軸を目視できるように構成されていると有利である（請求項４）。【０００９】  さらに、上記請求項４に記載のパターアドレス診断装置において、前記表示板と覆い板にはそれぞれ貫通孔が形成され、前記計測用の光源から出射した光ビームが、前記貫通孔を通過して、アドレスしたパタークラブのフェース面に取り付けられた反射板に至るように、前記貫通孔と計測用の光源との相対位置が設定されていると有利である（請求項５）。【００１０】  また、上記請求項２又は５に記載のパターアドレス診断装置において、パタークラブによりパッティングされたボールが前記貫通孔を通過した後、再び該貫通孔を通過して被験者の側に戻るように、上面が傾斜したボール案内板が設けられていると有利である（請求項６）。【００１１】  さらに、上記請求項２又は６に記載のパターアドレス診断装置において、前記計測用の光源から出射した光ビームの透過を許容し、かつパタークラブによりパッティングされて前記貫通孔を通過したボールが前記計測用の光源に当ることを阻止するプロテクターが設けられていると有利である（請求項７）。【００１２】  また、上記請求項６に記載のパターアドレス診断装置において、前記ボール案内板が、パタークラブによりパッティングされて、前記貫通孔を通過したボールが前記計測用の光源に当ることを阻止するプロテクターを兼ねていると有利である（請求項８）。【００１３】  さらに、上記請求項１乃至５のいずれかに記載のパターアドレス診断装置において、前記計測用の光源と表示板とが一体的に連結されていると有利である（請求項９）。【００１４】  また、上記請求項１乃至５のいずれかに記載のパターアドレス診断装置において、被験者が水平なグラウンド面上にてパタークラブをアドレスしたときのパタークラブのフェース面とグラウンド面との成す角度が９０°であるとしたとき、前記反射板の反射面と、該反射面よりも表示板側のグラウンド面との成す角度が９０°よりも大きな角度となるように、反射板がフェース面に取り付けられていると有利である（請求項１０）。【００１５】  さらに、上記請求項１乃至５のいずれかに記載のパターアドレス診断装置において、前記表示板と計測用の光源とを載置するマットを有し、被験者が該マット上にてパタークラブを構えてフェース面の向きを計測するように構成され、前記マットの側縁の少なくとも一部が曲線をなして延びていると有利である（請求項１１）。【００１６】  また、上記請求項１乃至５のいずれかに記載のパターアドレス診断装置において、前記計測用の光源の位置を調整する光源位置調整手段を具備すると有利である（請求項１２）。
【発明の効果】
【００１７】  本発明によれば、表示板に形成されたビームスポットの座標位置からパタークラブのフェース面の向きを計測できるので、フェース面の向きを従来よりも容易かつ正確に把握することができる。
【図面の簡単な説明】
【００１８】［図１］第１の例のパターアドレス診断装置の斜視図である。
［図２］第１の例のパターアドレス診断装置を図１とは別の角度から見たときの斜視図である。
［図３］第１の例のパターアドレス診断装置の各部の位置関係を示す説明図である。
［図４］フェース面の向きを説明する図である。
［図５］フェース面及び反射面と、グラウンド面との成す角度を説明する図である。
［図６］表示板と計測用の光源をマット上に配置した第１の例のパターアドレス診断装置の例を示す斜視図である。
［図７］表示板と計測用の光源を他の形態のマット上に配置した第１の例のパターアドレス診断装置の例を示す斜視図である。
［図８］表示板と計測用の光源をさらに他の形態のマット上に配置した第１の例のパターアドレス診断装置を示す斜視図である。
［図９］第２の例のパターアドレス診断装置の照明用の光源が点灯していないときの斜視図である。
［図１０］第２の例のパターアドレス診断装置の照明用の光源が点灯しているときの斜視図である。
［図１１］第２の例のパターアドレス診断装置によって、フェース面の向きを計測しているときの様子を示す斜視図である。
［図１２］第２の例のパターアドレス診断装置の分解斜視図である。
［図１３］第２の例のパターアドレス診断装置のケーシングの垂直断面図である。
【符号の説明】
【００１９】  １  パターアドレス診断装置
２  計測用の光源
３  表示板
３Ａ  正面
３Ｂ  背面
５  ボール案内板
８  貫通孔
１０  フェース面
１１  反射板
１１Ａ  反射面
１２  プロテクター
１７，１７Ａ，１７Ｂ  マット
１８，１８Ａ，１８Ｂ  側縁
２４  覆い板
２５  照明用の光源
２６  貫通孔
ＢＳ  ビームスポット
Ｇ  グラウンド面
Ｌ  光ビーム
ＰＣ  パタークラブ
α，β  角度
【発明を実施するための最良の形態】
【００２０】  以下、本発明の実施形態例を図面に従って詳細に説明する。【００２１】  図１はパターアドレス診断装置の一例を示す斜視図であり、図２はこの装置によってパターアドレスを診断するときの様子を示した斜視図である。ここに例示したパターアドレス診断装置１は、光ビームを出射する計測用の光源２と、後述するようにビームスポットが形成される表示板３とを有しており、計測用の光源２と表示板３とは一体的に連結されている。図示した例では、計測用の光源２がケース４に収容され、そのケース４と表示板３とがボール案内板５を介して連結されており、これによって計測用の光源２と表示板３が互いに一体的に連結されている。計測用の光源２と表示板３を直に連結することもできる。計測用の光源２としては、例えばレーザビームを出射するレーザ装置や、発光ダイオード装置などを用いることができる。【００２２】  ここで、図２に示すようにパタークラブＰＣを構えた被験者（図示せず）を向いた側の表示板３の面を正面３Ａとし、その正面と反対側の面を背面３Ｂとしたとき、表示板３の正面３Ａには座標軸が形成されている。図示した例では、図１に示すように、原点Ｏを通る水平線より成るＸ軸６と、同じく原点Ｏを通り、Ｘ軸に対して直交するＹ軸７とから成る座標軸が表示板３の正面３Ａに形成されている。さらに、Ｘ軸６に対して平行でかつ互いに等しい間隔Ａで配置された多数の水平な目盛線ＨＬと、Ｙ軸７に対して平行で、かつ互いに等しい間隔Ｂで配置された多数の垂直な目盛線ＶＬとが表示板３の正面３Ａに形成されている。例えば、透明又は不透明な樹脂板、或いはその他の板材より成る基板に、座標軸を印刷し、或いは座標軸の形成されたフィルムを貼着して表示板３を構成することができる。【００２３】  また、表示板３には、パッティング目標となる貫通孔８が形成され、計測用の光源２から出射した光ビームＬは、この貫通孔８を通過する。かかる貫通孔８は、通常のホールカップの半分の半円状に形成され、その直径Ｄは、ホールカップの直径と同じ１０８ｍｍに設定されていることが好ましい。【００２４】  上述したパターアドレス診断装置１を用いてパターアドレスを診断するには、図２に示すように、表示板３の正面３Ａから離間した打点位置に、例えばボール９より成る遮光物を置き、計測用の光源２を作動させる。これにより、計測用の光源２から出射した光ビームＬはボール９に当る。次いで、そのボール９よりも表示板３から離れた側の位置において、被験者が、表示板３に形成された貫通孔８にボールを入れるようにしてパタークラブＰＣをアドレスする。図３に示すように、このパタークラブＰＣのヘッド２０のフェース面１０には反射板１１が取り付けられている。例えば、反射板１１をフェース面１０に粘着テープ又は接着剤によって貼り付けることによって、その反射板１１をフェース面１０に取り付けることができる。かかるパタークラブＰＣを、図２に示すようにアドレスしたとき、計測用の光源２から出射した光ビームＬは、ボール９に遮られて反射板１１に入射することはない。【００２５】  上述のように被験者がパタークラブＰＣをアドレスしたままの状態で、図示していない補助者がボール９を取り除く。すると、図３に示すように、計測用の光源２から出射した光ビームＬは、パタークラブＰＣのフェース面１０に取り付けられた反射板１１の反射面１１Ａにて反射し、次いで表示板３の正面３Ａに向かって進み、図１にも示したように、表示板３の正面３Ａに当って、ここにビームスポットＢＳを形成する。そこで、前述のＸ軸６とＹ軸７の座標軸を基準として、原点Ｏに対するビームスポットＢＳの座標位置（Ｘ１、Ｙ１）を確認し、その座標位置からパタークラブＰＣのフェース面１０の向きを計測する。このとき、目盛線ＨＬ，ＶＬと、座標軸６，７に付された数値によって、ビームスポットＢＳの座標位置を容易に確認することができる。【００２６】  図４の（ａ）は一般のパタークラブのヘッド２０の正面図であり、図４の（ｂ）はそのヘッド２０の平面図である。パタークラブのフェース面１０の向きには、図４の（ａ）に矢印で示した前後方向の向き（ロフト角方向の向き）と、図４の（ｂ）に矢印で示した左右方向の向きとがあるが、図２及び図３に示したパタークラブＰＣのフェース面１０のこれらの向きが、表示板３上にビームスポットＢＳにより表示されるのである。より具体的に示すと、被験者がパタークラブＰＣを正しくアドレスし、そのフェース面１０が理想的な正しい向きとなっているときは、図１に示した表示板３上のビームスポットＢＳは原点Ｏに一致する。ビームスポットＢＳが原点Ｏに一致するように、計測用の光源２の位置が設定されているのである。これに対し、アドレスしたパタークラブＰＣのフェース面１０が正しい向きから、図４の（ａ）に示した前後方向に振れているときは、表示板３上のビームスポットＢＳは、原点ＯからＹ軸７の方向にシフトする。同様に、フェース面１０が図４の（ｂ）に示した左右方向に振れているときは、表示板３上のビームスポットＢＳは、原点ＯからＸ軸６の方向にシフトする。従って、表示板３上に形成されたビームスポットＢＳのＸ座標とＹ座標からフェース面１０の前後の向きと左右の向きが適正であるか否かを把握することができる。【００２７】  測定用の光源２の位置は、上述のように設定されているが、これは次のようにして設定することができる。例えば、フェース面の向きの診断時にパタークラブＰＣのヘッド２０が置かれる位置に、図示していない基準ミラーを配置し、測定用の光源２から出射した光ビームが基準ミラーの反射面で反射した後、表示板３に形成された座標軸の原点Ｏに至り、ここにビームスポットが形成されるように計測用の光源２の位置を設定する。その際、基準ミラーは、図２に示したようにパタークラブＰＣをアドレスして、そのフェース１０が理想的な正しい向きとなっているときに、これに取り付けられた反射板１１にて反射した光ビームの向きと同じ向きに光ビームが反射するように設置される。【００２８】  また、図示したパターアドレス診断装置１は、図３に示したように、表示板３の正面３Ａから距離ＬＡの個所に、反射板１１の反射面１１Ａが位置するようにパタークラブＰＣをアドレスし、この状態で、反射面１１Ａの傾き角度を、フェース面１０の前後方向と左右方向に０．５度ずつ変化させたとすると、これに伴って表示板３上のビームスポットＢＳが、Ｙ軸方向とＸ軸方向にそれぞれ１間隔Ａ，Ｂの距離だけ移動するように構成されている。距離ＬＡは、例えば２．３ｍに設定され、間隔Ａ，Ｂは共に例えば４０．１５ｍｍに設定される。【００２９】  反射板１１の反射面１１Ａの傾きと、表示板３上に形成された座標軸との相関関係を上述のように定めておくことにより、パターアドレスの診断時に、表示板３上に形成されたビームスポットＢＳの座標位置から即座にフェース面１０の向きが適正か否かを把握し、適正でないときはその程度を高い精度で測定することができる。【００３０】  なお、前述のようにパタークラブＰＣのフェース面１０よりも前方にボール９より成る遮光物を置き、このボール９によって計測用の光源２からの光ビームＬが反射板１１に入射することを阻止し、パタークラブＰＣをアドレスした後に、ボール９を取り去って、反射板１１にて光ビームＬを反射させ、表示板３にビームスポットＢＳを形成したのは次の理由による。【００３１】  被験者がパタークラブＰＣをアドレスする前から反射板１１に光ビームＬを当て、その反射面１１Ａにて光ビームＬを反射させてしまうと、被験者がパタークラブＰＣをアドレスする際に、既に表示板３上にビームスポットＢＳが形成されてしまう。このため、被験者は、無意識のうちにそのビームスポットＢＳが表示板３の原点Ｏに合うようにパタークラブＰＣを構えてしまい、被験者が自然にパタークラブＰＣをアドレスしたときのフェース面の向きを計測できなくなる。これに対し、ボール９によって光ビームＬを遮った状態で、被験者がパタークラブＰＣをアドレスすれば、そのアドレス時に表示板３にはビームスポットＢＳが形成されないので、被験者は自然にパタークラブＰＣを構えることができる。この状態で、補助者がボール９を取り除くことによって、フェース面１０の向きを正しく計測することができる。また、ボール９を置いた状態で、パタークラブＰＣをアドレスした方が、被験者に対して、実際にゴルフをプレーしているときと同様な感覚を与えることができ、正確な診断が可能となる。【００３２】  上述の如く、本例のパターアドレス診断装置１は、被験者が、フェース面１０に反射板１１の取り付けられたパタークラブＰＣをアドレスした状態で、計測用の光源２から出射し、反射板１１にて反射した光ビームＬを表示板３に照射して該表示板３上にビームスポットＢＳを形成し、そのビームスポットＢＳの座標位置からパタークラブＰＣのフェース面１０の向きを計測するように構成されている。これにより、フェース面１０の向きを容易に正しく測定することができる。【００３３】  パタークラブには、ロフト角、ライ角及びシャフトの長さなどの各種の仕様があるが、上述した計測結果に基づいて、被験者に最も適した仕様のパタークラブを選択することができる。例えば、各種の仕様のパタークラブＰＣを用意しておき、被験者が、その各パタークラブを極く自然にアドレスして上述のようにフェース面１０の向きを診断し、これを繰り返し行ううちに、表示板３の原点Ｏ又はその原点Ｏに最も近い位置にビームスポットＢＳが形成されるパタークラブを選択するのである。このようにして、被験者は、自分に最もあったパタークラブを入手し、そのパタークラブによって正確なパッティング��行うことが可能となる。パターアドレス診断装置１をゴルフの練習機として使用することもできる。【００３４】  また、図示したパターアドレス診断装置１においては、計測用の光源２と表示板３とが一体的に連結されているので、その計測用の光源２と表示板３を容易に持ち運ぶことができる。しかも、パターアドレス診断装置１は、計測用の光源２と表示板３を有する簡単な構成であるため、グリーンや人工芝などのほかに、室内の床面、絨毯、マット上などの適宜な場所にパターアドレス診断装置１をセットして、これを使用することができる。【００３５】  さらに、本例のパターアドレス診断装置１の表示板３には、パッティング目標となる貫通孔８が形成され、計測用の光源２から出射した光ビームＬが、貫通孔８を通過して、アドレスしたパタークラブＰＣのフェース面１０に取り付けられた反射板１１に至るように、貫通孔８と計測用の光源２との相対位置が設定されているので、被験者は貫通孔８を打球標的として極く自然にパタークラブＰＣをアドレスすることができる。しかも計測用の光源２から出射した光ビームＬが貫通孔８を通過するので、表示板３によって光ビームＬの進行が妨げられるおそれもない。【００３６】  また、被験者は、図３に示した反射板１１の取り付けられたパタークラブＰＣにより、或いはそのフェース面１０の向きの計測結果に基づいて選択されたパタークラブによって、打点位置にセットしたボール９を貫通孔８に向けてパッティングすることもできる。その際、貫通孔８を通過したボールが、計測用の光源２の前方のボール案内板５上にて止まってしまったとすると、被験者又はその補助者がそのボールを取りに行かなければならず煩わしい。【００３７】  そこで、本例のパターアドレス診断装置１においては、図１に示すように、表示板３の貫通孔８と計測用の光源２との間に位置するボール案内板５の上面が、計測用の光源２の側から貫通孔８の側に向けて低くなるように傾斜している。このため、被験者がパッティングしたボールが貫通孔８を通過した場合、そのボールは、ボール案内板５の傾斜した上面によって案内されながら再び被験者の側へ戻される。このように、パタークラブによりパッティングされたボールが貫通孔８を通過した後、再び該貫通孔８を通過して被験者の側に戻るように、上面が傾斜したボール案内板５が設けられているので、被験者又は補助者が、ボール案内板５のところまでボールを取りに行く必要がなくなる。【００３８】  さらに、パッティングしたボールが貫通孔８を通過してボール案内板５上を転がり、計測用の光源２に直に衝突したとすると、計測用の光源２に加えられた衝撃によって計測用の光源２の位置が狂い、フェース面１０の向きの正確な計測を行えなくなるおそれがある。【００３９】  そこで、本例のパターアドレス診断装置１においては、図１に示すように、計測用の光源２と貫通孔８との間に、該光源２から出射した光ビームＬの透過を許容し、かつパタークラブによりパッティングされて貫通孔８を通過したボールが計測用の光源２に当ることを阻止するプロテクター１２が配設されている。本例のプロテクター１２は、計測用の光源２から出射した光ビームＬが通過する透明板により構成され、かかる��ロテクター１２が前述のケース４に固定されている。計測用の光源２から出射した光ビームＬが通る小孔を有するプロテクターを用いることもでき、この場合にはプロテクターが不透明な材料によって構成されていてもよい。【００４０】  ところで、図３に関連して先に説明したように、パターアドレスの診断に使用されるパタークラブＰＣのフェース面１０が適正な向きに配置されているときは、そのフェース面１０に取り付けられた反射板１１で反射した光ビームＬは、図１に示した原点Ｏに至り、ここにビームスポットを形成する。ここで、図５の（ａ）に示すように、パタークラブＰＣのヘッド２０のフェース面１０と、反射板１１の反射面１１Ａとが平行であったとすると、このフェース面１０と、パタークラブＰＣのヘッド２０が載置された水平なグラウンド面Ｇとの成す角度αが９０°よりも小さい場合には、反射面１１Ａで反射した光ビームＬが表示板３に届かなくなることがある。このようになれば、フェース面１０の向きを計測することはできない。【００４１】  そこで、本例のパターアドレス診断装置１のパタークラブＰＣは次のように構成されている。【００４２】  図５の（ｂ）に示すように、被験者が水平なグラウンド面Ｇ上にてパタークラブＰＣをアドレスしたときのパタークラブＰＣのフェース面１０とグラウンド面Ｇとの成す角度αが９０°であるとしたとき、反射板１１の反射面１１Ａと、該反射面１１Ａよりも表示板３の側のグラウンド面Ｇとの成す角度βが９０°よりも角度γだけ大きな角度となるように、反射板１１がフェース面１０に取り付けられている。反射板１１の反射面１１Ａがフェース面１０に対して、例えば１°程の微小な角度γだけ傾斜しているのである。このように構成すれば、図５の（ｃ）に示すように、パタークラブＰＣのフェース面１０と、水平なグラウンド面Ｇとの成す角度αが９０°よりも小なるときも、反射面１１Ａで反射した光ビームＬは、図１に示した表示板３の正面３Ａに至り、ここにビームスポットＢＳを形成することができる。【００４３】  ところで、前述のように、本例のパターアドレス診断装置１を使用してパタークラブＰＣのフェース面１０の向きを計測するには、図３に示したように、そのパタークラブＰＣの反射板１１の反射面１１Ａが、表示板３の正面３Ａから所定の距離ＬＡの個所に位置するように、そのパタークラブＰＣをアドレスする必要がある。そこで、図１に示すように、巻き取り式のメジャー１３のケーシング１４を表示板３に固定し、該ケーシング１４から可撓性を有する巻尺１５を引き出して、図２に示すように表示板３の正面３Ａからの距離ＬＡ（本例では２．３ｍ）を測定できるように構成することが好ましい。この構成によれば、極く簡単にパタークラブＰＣをアドレスする位置を見い出すことができる。【００４４】  前述のように、本例のパターアドレス診断装置１は、グリーンや床面などに直に設置して使用できるものであるが、図６に示すように、マット１７上に表示板３と計測用の光源２を固定配置し、被験者がそのマット１７上にてパタークラブＰＣを構えて、そのフェース面の向きを計測することもできる。その際、図６に示したマット１７は、長方形に形成され、その両側縁１８が光ビームＬの進行方向に対してほぼ平行に延びている。このようなマット１７を用いると、被験者は、無意識のうちに、そのマット１７の側縁１８を基準として、パタークラブＰＣをアドレスしてしまうことがある。このようになれば、被験者の正確なパターアドレスを診断することはできない。【００４５】  そこで、マットを用いる場合には、被験者がパタークラブＰＣをアドレスするときに、そのアドレスの基準となるような側縁を有していないマットを採用することが好ましい。例えば、図７に示すように、円形のマット１７Ａを用い、その側縁１８Ａがアドレス時の何らかの基準とならぬようにするのである。或いは、図８に示すように、長尺な側縁１８Ｂが曲線となったマット１７Ｂを用いる。このように、パターアドレス診断装置が、表示板３と計測用の光源２とを載置するマットを有している場合には、マットの側縁の少なくとも一部が曲線をなして延びているマットを使用することが好ましいのである。これにより、被験者のパターアドレスを正しく計測することが可能となる。【００４６】  以上説明した実施形態例を第１の例とし、図９乃至図１３を参照して次に説明する実施形態例を第２の例とすると、第２の例のパターアドレス診断装置１は、マット１７Ｂ（図１１）上に載置されたケーシング２１を有している。このケーシング２１の一方の側の開口には、図１２及び図１３に示すように表示板３が嵌合して、該ケーシング２１に固定されている。この表示板３には、第１の例の場合と全く同じく、Ｘ軸６とＹ軸７の座標軸や、目盛線ＨＬ，ＶＬが形成されている。かかる座標軸と目盛線は、例えば、アクリル樹脂などの透明な基板上に印刷を施すことにより形成され、或いは座標軸と目盛線の形成されたフィルムを透明な基板に貼着することにより形成される。【００４７】  また、ここでもパタークラブＰＣを構えた被験者（図示せず）を向いた側の表示板３の面を正面３Ａとし、その反対側の面を背面３Ｂとしたとき、図１３に示すように、その背面３Ｂの側であって、ケーシング２１の内部には、光ビームを出射する計測用の光源２が配置されている。図１に示したケース４の代りに、ケーシング２１の内部に計測用の光源２が配置されているのである。しかも、図示した例では、ケーシング２１の底壁２２に取り付けられた載置台２３上に計測用の光源２が固定され、計測用の光源２と表示板３がケーシング２１と載置台２３を介して一体的に連結されている。この光源２としても、例えばレーザビームを出射するレーザ装置や、発光ダイオード装置などが採用され、かかる光源２の位置が、第１の例のパターアドレス診断装置の計測用の光源と全く同じく設定されている。【００４８】  また、表示板３の正面３Ａの側には、その表示板３に重なった状態で、覆い板２４が配置され、この覆い板２４もケーシング２１の開口に嵌合した状態で該ケーシング２１に固定されている。覆い板２４は、例えばアクリル樹脂などの透明な基板に、例えばゴルフ場のコースをデザインした絵を印刷することにより構成されるか、又はかかる絵が描かれたフィルムを透明な基板に貼着することにより構成される。さらに、表示板３の背面３Ｂの側であって、ケーシング２１の内部には、照明用の光源２５が配置され、こ���光源２５はケーシング２１に対して固定されている。【００４９】  表示板３と覆い板２４には、それぞれ貫通孔８，２６が形成され、さらにケーシング２１の内部であって、表示板３と計測用の光源２との間には、光ビームの通過する小孔２７が形成されたボール案内板５が配置されている。ボール案内板５は、図示していないブラケットを介してケーシング２１に固定され、しかもこのボール案内板５には、カバー３１が固定されている。覆い板２４に形成された貫通孔２６も、パッティング目標となるものであって、その直径Ｄがホールカップの直径と同じ大きさに設定されていることが好ましい。【００５０】  パターアドレスの診断時には、第１の例のパターアドレス診断装置の場合と同じく、図１１に示したマット１７Ｂ上の打点位置にボール９を置き、計測用の光源２を作動させる。これにより、計測用の光源２から出射した光ビームＬは、ボール案内板５の小孔２７と、貫通孔８，２６を通過して、ボール９に当る。次いで図１１に示すように、被験者が、貫通孔２６を打球標的としてパタークラブＰＣをアドレスする。このパタークラブＰＣは、そのヘッド２０のフェース面に、第１の例の場合と全く同じく構成された反射板１１が取り付けられている。表示板３から反射板１１の反射面１１Ａまでの距離ＬＡも２．３ｍであって、第１の例と変わりはない。【００５１】  上述のようにパタークラブＰＣをアドレスしたとき、計測用の光源２から出射した光ビームＬは、ボール９によって遮られ、パタークラブＰＣの反射板１１に入射することはない。また、このとき、照明用の光源２５は点灯していない。このため、図９に示すように、表示板３に形成された座標軸と目盛線は、覆い板２４によって遮蔽され、被験者はその座標軸と目盛線を目視することができない。その代わり、被験者は、覆い板２４に形成された風景画を見ることができるので、ゴルフ場でプレーしているときと同様な感覚で、パタークラブＰＣをアドレスすることができる。【００５２】  上述した状態で、補助者がボール９を取り除く。これにより、第１の例の場合と同じく、計測用の光源２から出射した光ビームＬがパタークラブＰＣに取り付けられた反射板１１の反射面１１Ａにて反射し、覆い板２４と表示板３上にビームスポットＢＳを形成する。次いで、図示していないスイッチをオンして、照明用の光源２５を点灯する。これにより、図１０に示すように、被験者は、覆い板２４を透かして、表示板３に形成された座標軸と目盛線を見ることができる。そこでビームスポットＢＳの座標位置を確認し、その座標位置からパタークラブＰＣのフェース面の向きを計測する。かかる診断を繰り返し行うことにより、被験者に適したパタークラブを選択することができる。【００５３】  上述のように、第２の例のパターアドレス診断装置１も、被験者が、フェース面に反射板１１の取り付けられたパタークラブＰＣをアドレスした状態で、計測用の光源２から出射し反射板１１にて反射した光ビームＬを表示板３に照射して該表示板上にビームスポットＢＳを形成し、該ビームスポットＢＳの座標位置からパタークラブＰＣのフェース面の向きを計測するように構成されているが、さらに被験者がパタークラブＰＣをアドレスしたとき、照明用の光源２５は点灯していないので、被験者には座標軸が見えず、従って当該被験者が無意識のうちにビームスポットＢＳを座標軸の原点に合せるように、パタークラブＰＣを構えてしまうことを阻止することができる。【００５４】  上述のように、第２の例のパターアドレス診断装置においては、照明用の光源２５を点灯したときにだけ、被験者が表示板３の座標軸を目視できる。覆い板２４は、照明用の光源２５の非点灯時には、被験者が表示板３の座標軸を目視できないように、該表示板３を遮蔽し、かつ照明用の光源２５の点灯時には、被験者が、該覆い板２４を透かして表示板３の座標軸を目視できるように構成されているのである。【００５５】  また、表示板３と覆い板２４にはそれぞれ貫通孔８，２６が形成され、計測用の光源２から出射した光ビームＬが、これらの貫通孔８，２６を通過して、アドレスしたパタークラブＰＣのフェース面に取り付けられた反射板１１に至るように、貫通孔８，２６と計測用の光源２との相対位置が設定されているので、第１の例のパターアドレス診断装置と同じく、被験者は貫通孔８，２６を打球標的として極く自然にパタークラブＰＣをアドレスすることができる。【００５６】  さらに、被験者がボール９を貫通孔８，２６に向けてパッティングし、そのボールが貫通孔８，２６を通過したとき、当該ボールは、第１の例の場合と同じく、ボール案内板５の傾斜した上面を転がった後、再び被験者の側に戻される。このように、第２の例のパターアドレス診断装置の場合も、パタークラブＰＣによりパッティングされたボール９が貫通孔８，２６を通過した後、再び該貫通孔を通過して被験者の側に戻るように、上面が傾斜したボール案内板が設けられているので、被験者又は補助者が貫通孔８，２６のところまでボールを取りに行く必要はない。【００５７】  また、第２の例のパターアドレス診断装置においても、計測用の光源２から出射した光ビームＬの透過を許容し、かつパタークラブＰＣによりパッティングされて貫通孔８，２６を通過したボールが計測用の光源２に当ることを阻止するプロテクターが設けられているが、第２の例のパターアドレス診断装置の場合には、上述のボール案内板５が、パタークラブＰＣによりパッティングされて、貫通孔８，２６を通過したボールが計測用の光源２に当ることを阻止するプロテクターを兼ねている。これにより、パターアドレス診断装置の構成を簡素化することができる。かかる構成は、第１の例のパターアドレス診断装置にも適用できるものである。【００５８】  前述のように、パタークラブＰＣをアドレスしたとき、そのフェース面が適正な向きに位置している場合には、計測用の光源２から出射して、反射板１１にて反射した光ビームＬが、座標軸の原点ＯにビームスポットＢＳを形成するように、計測用の光源２の位置を調整する必要がある。第２の例のパターアドレス診断装置１には、このように計測用の光源２の位置を容易に調整できる光源位置調整手段が設けられている。以下、その具体例を説明する。【００５９】  図１３に示すように、計測用の光源２を支持した載置台２３は、その一端側２３Ａが固定ねじ２８によって、ケーシング２１の底壁２２に固定されているが、載置第２３の他端側２３Ｂは、ケーシング２１に形成された孔２９を通してケーシング２１の外に突出している。しかも、この他端側２３Ｂに形成されたねじ孔に調整ねじ３０が螺着され、その調整ねじ３０の下端部がケーシング２１の底壁２２に当接している。作業者がこの調整ねじ３０を手操作によって回転させると、載置台２３の他端側２３Ｂが上方又は下方に動き、載置台２３が固定ねじ２８の側を中心として矢印方向に揺動し、計測用の光源２の傾き状態が変動してその位置が調整される。かかる光源位置調整手段は、第１の例のパターアドレス診断装置にも採用することができる。【００６０】  第２の例のパターアドレス診断装置の他の構成は、第１の例のパターアドレス診断装置と変りはない。よって、第１の例のパターアドレス診断装置と同じ部分には、図１乃至図５に付した符号と同一の符号を付して、同一部分についての重複した説明は省略する。【００６１】  以上、本発明の好ましい実施形態例を説明したが、本発明は、この例に限定されず、各種改変して構成できるものである。
【産業上の利用可能性】
【００６２】  本発明のパターアドレス診断装置は、ゴルフのパッティングの練習あるいはゴルファーに好適なパターを選択するために利用される新たな装置の製造、販売を可能とするものである。
【図１】
2005058432.tif 000002
【図２】
2005058432.tif 000003
【図３】
2005058432.tif 000004
【図４】
2005058432.tif 000005
【図５】
2005058432.tif 000006
【図６】
2005058432.tif 000007
【図７】
2005058432.tif 000008
【図８】
2005058432.tif 000009
【図９】
2005058432.tif 000010
【図１０】
2005058432.tif 000011
【図１１】
2005058432.tif 000012
【図１２】
2005058432.tif 000013
【図１３】
2005058432.tif 000014
【手続補正書】
【提出日】平成17年3月29日(2005.3.29)
【手続補正００１】
【補正対象書類名】特許請求の範囲
【補正対象項目名】特許請求の範囲
【補正方法】変更
【補正の内容】
【書類名】特許請求の範囲
【請求項１】光ビームを出射する計測用の光源と座標軸が形成された表示板が、円形又は長尺な側縁が曲線であるマットに載置された装置であって、
被験者がフェース面に反射板の取り付けられたパタークラブをアドレスした状態で、前記計測用の光源から出射し前記反射板にて反射した光ビームを前記表示板に照射して該表示板上にビームスポットを形成し、該ビームスポットの座標位置から前記パタークラブのフェース面の向きを計測することを特徴とするパターアドレス診断装置。
【請求項２】光ビー厶を出射する計測用の光源と、座標軸が形成された表示板を有し、被験者がフェース面に反射板の取り付けられたパタークラブをアドレスした状態で、前記計測用の光源から出射し前記反射板にて反射した光ビームを前記表示板に照射して該表示板上にビームスポットを形成し、該ビー厶スポットの座標位置から前記パタークラブのフェース面の向きを計測する装置であって、
前記表示板にはパッティングの目標となる貫通孔が形成され、パッティングされたボールが再び貫通孔を通過して被験者の側に戻るように、上面が傾斜したボール案内板が設けられ、前記ボール案内板がパッティングされて貫通孔を通過したボールが前記計測用の光源に当たることを防止するプロテクターを兼ねていることを特徴とするパターアドレス診断装置。
【請求項３】前記表示板には、パッティング目標となる貫通孔が形成され、前記計測用の光源から出射した光ビームが貫通孔を通過して、アドレスしたパタークラブのフェース面に取り付けられた反射板に至るように、前記貫通孔と計測用の光源との相対位置が設定されている請求項１に記載のパターアドレス診断装置。
【請求項４】被験者を向いた側の表示板の面を正面とし、その反対側の面を背面としたとき、該表示板の背面側に配置された照明用の光源を具備し、該照明用の光源を点灯したときにだけ、被験者が表示板の座標軸を目視できるように構成されている請求項１又は３に記載のパターアドレス診断装置。
【請求項５】前記表示板の正面側に配置された覆い板を具備し、該覆い板は、前記照明用の光源の非点灯時には、被験者が前記表示板の座標軸を目視できないように、該表示板を遮蔽し、かつ照明用の光源の点灯時には、被験者が、該覆い板を透かして前記表示板の座標軸を目視できるように構成されている請求項１に記載のパターアドレス診断装置。
【請求項６】前記表示板と覆い板にはそれぞれ貫通孔が形成され、前記計測用の光源から出射した光ビームが、前記貫通孔を通過して、アドレスしたパタークラブのフェース面に取り付けられた反射板に至るように、前記貫通孔と計測用の光源との相対位置が設定されている請求項５に記載のパターアドレス診断装置。
【請求項７】前記計測用の光源から出射した光ビームの透過を許容し、かつパタークラブによりパッティングされて前記貫通孔を通過したボールが前記計測用の光源に当ることを阻止するプロテクターが設けられている請求項３乃至６のいずれかに記載のパターアドレス診断装置。
２０
【国際調査報告】
2005058432.tif 000015
2005058432.tif 000016
2005058432.tif 000017
2005058432.tif 000018